(57)【特許請求の範囲】
【請求項１】
所定の間隔を置いて対向的に配置された振動板と固定電極とを含むマイクユニットに対して、その正側出力ラインと接地側出力ラインとを介して内部電源（電池）もしくは外部電源より直流の動作電源を供給するコンデンサマイクロホンの電源回路において、上記正側出力ラインには、同正側出力ラインをオフとして上記接地側出力ラインに選択的接続する電源スイッチと、同電源スイッチと同正側出力ラインの出力端子との間において同出力端子からの上記外部電源の入力方向を順方向として接続された第１のダイオードと、上記電源スイッチおよび上記第１のダイオードをバイパスするようにそれらに対して並列的に接続されたコンデンサとが設けられているとともに、上記電源スイッチおよび上記第１のダイオードの接続点と上記接地側出力ラインとの間には、上記内部電源としての電池、上記接地側出力ラインから上記正側出力ラインに至る方向を順方向とする第２のダイオードおよび負荷抵抗の直列回路が接続されていることを特徴とするコンデンサマイクロホンの電源回路。
【請求項２】
上記電源スイッチを備えず、上記正側出力ラインには、その出力端子からの上記外部電源の入力方向を順方向として接続された第１のダイオードと、同第１のダイオードに対して並列的に接続されたコンデンサとが設けられているとともに、上記第１のダイオードのカソード側と上記接地側出力ラインとの間には、上記内部電源としての電池、上記接地側出力ラインから上記正側出力ラインに至る方向を順方向とする第２のダイオードおよび負荷抵抗の直列回路が接続されていることを特徴とする請求項１に記載のコンデンサマイクロホンの電源回路。
【請求項３】
上記電源スイッチが２接点切替え式であり、その共通接点が上記正側出力ラインの上記マイクユニット側に接続され、同正側出力ラインの出力端子側と上記接地側出力ライン側にそれぞれ切替え接点が設けられていることを特徴とする請求項１に記載のコンデンサマイクロホンの電源回路。
【請求項４】
上記コンデンサが無極性コンデンサであることを特徴とする請求項１または２に記載のコンデンサマイクロホンの電源回路。
【発明の詳細な説明】
【０００１】
【発明の属する技術分野】
本発明はコンデンサマイクロホンの電源回路に関し、さらに詳しく言えば、マイクユニットに対して内部電源（搭載電池）もしくは外部電源のいずれからでもその動作電源を供給することができるコンデンサマイクロホンの電源回路に関するものである。
【０００２】
【従来の技術】
所定の間隔を置いて対向的に配置された振動板と固定電極とを含むマイクユニットを備えたコンデンサマイクロホンは、音の忠実度が高く、小型化が容易なことから、一般民生用、業務用を問わず広く普及されている。
【０００３】
そのマイクユニットから音波に応じた音声電気信号を取り出すには、その電子回路と駆動電源が必要とされ、その電源で種別すると、マイクロホン本体に電源を搭載した内蔵型と、外部供給型とに分けられる。一般民生用においては、前者が電池駆動方式であり、後者が接続される機器、例えばテープレコーダ、ミニディスクレコーダ、ビテオカムコーダなどから電源が供給されるプラグインパワー方式と呼ばれている。
【０００４】
図３には、プラグインパワー方式の回路構成が示されており、これによると、マイクロホンが接続される機器の内部に接地に対して正の電圧を示す電源１を備えており、この電源１とマイクロホンの信号ラインとの間に設けられた負荷抵抗２により電気信号が得られる。この方式は、２端子式と呼ばれるマイクロホンユニットを直接駆動するメリットを有している。なお、３は直流カット用のコンデンサである。
【０００５】
一方、内蔵型では図４（ａ）の２端子式、同図（ｂ）の３端子式と言った複数のマイクロホンユニット形式に対応可能であり、製品の必要性に応じて使い分けされている。図中において、Ｐは振動板と固定電極からなる音声ピックアップ部、ＩＣはインピーダンス変換用の例えばＦＥＴからなり、音声ピックアップ部の出力に対して２端子式では出力位相が反転され、３端子式では出力位相が正相として取り出される。
【０００６】
これに対して、内蔵型とプラグインパワー方式のいずれにも対応可能とする場合には２端子式が採用され、その共用方式としては次の２通りがある。
まず第１には、図５に示されているように、マイロホン本体Ｍとは別に電池が内蔵された電源モジュールＥを用意し、プラグインパワー使用時にはその電源モジュールＥを外し、マイロホン本体Ｍのプラグをプラグインパワーを搭載した例えばテープレコーダなどの機器に直接接続する。
【０００７】
これに対して、第２の共用方式としては図６に示されているように、マイクロホン本体内に電池１ａ、負荷抵抗２ａおよび直流カット用コンデンサ３ａを設け、スイッチ４により電池１ａもしくは外部電源のいずれかを選択する。
【０００８】
すなわち、内部電池を使用する場合には、スイッチ４をその接点４ａに接続する。これにより、電池１ａから負荷抵抗２ａを介して図示しないマイクユニットに電源が供給されるとともに、そのマイクユニットからの音声信号がコンデンサ３ａを介して出力端子に現れる。これに対して、外部電源を使用する場合には、出力端子に例えば図３に示されている外部電源を接続し、スイッチ４をその接点４ｂ側に切替える。なお、接点４ｃは電源オフ接点である。
【０００９】
【発明が解決しようとする課題】
図５の第１の共用方式は、マイクロホン本体Ｍがきわめて小さな例えばタイピン型のマイクロホンなどには有効であるが、別ピースとしての電源モジュールＥを必要とするため、コストアップは避けられない。また、この場合には一般的にその電源スイッチは電源モジュールＥ側に設けられているため、信号を切るにはマイクロホン本体Ｍから離れたところの電源スイッチを操作しなければならず不便であるし、電源モジュールＥを外しての外部電源使用時には、マイクロホンの信号を切ることができない。
【００１０】
これに対して、図６の第２の共用方式によれば、電源スイッチがマイクロホン本体に設けられているため、そのスイッチの手元での操作は可能である。しかしながら、使用に先だってユーザー自身で電源の種類に応じて電源スイッチを切替える必要があり、即座に収音できない事態が予想される。すなわち、内部電池を使用するつもりでいながら、電源スイッチが例えば外部電源側に切り替えられている場合には、その切り替えまで収音できない状態がしばらく続くことも有り得る。
【００１１】
また、外部電源が何らかのトラブルにより使用できなくなった場合には、電源スイッチを内部電池側に切り替えるまでの間は、同じく収音が途絶えてしまうおそれもある。さらには、電源スイッチには、外部電源側接点、内部電池側接点および電源オフ接点の３接点切替え式のものが用いられるため、そのスイッチにしても大型でマイクロホン本体の小型化に支障を来すばかりでなく、コスト的にも好ましくない。
【００１２】
本発明は、このような課題を解決するためになされたもので、その目的は、煩わしいスイッチの切替え操作を行なうことなく、内部電源および外部電源のいずれも自動的に切替えて使用可能であり、しかもマイクロホン本体のより一層の小型化および低コスト化を図ることができるようにしたコンデンサマイクロホンの電源回路を提供することにある。
【００１３】
【課題を解決するための手段】
上記目的を達成するため、本発明は、所定の間隔を置いて対向的に配置された振動板と固定電極とを含むマイクユニットに対して、その正側出力ラインと接地側出力ラインとを介して内部電源（電池）もしくは外部電源より直流の動作電源を供給するコンデンサマイクロホンの電源回路において、上記正側出力ラインには、同正側出力ラインをオフとして上記接地側出力ラインに選択的接続する電源スイッチと、同電源スイッチと同正側出力ラインの出力端子との間において同出力端子からの上記外部電源の入力方向を順方向として接続された第１のダイオードと、上記電源スイッチおよび上記第１のダイオードをバイパスするようにそれらに対して並列的に接続されたコンデンサとが設けられているとともに、上記電源スイッチおよび上記第１のダイオードの接続点と上記接地側出力ラインとの間には、上記内部電源としての電池、上記接地側出力ラインから上記正側出力ラインに至る方向を順方向とする第２のダイオードおよび負荷抵抗の直列回路が接続されていることを特徴としている。
【００１４】
上記の構成において、電源スイッチをオン、すなわち正側出力ラインを接地側出力ラインから切り離し、正側出力ラインをその出力端子側に接続することにより、電池から第２のダイオードおよび負荷抵抗を介してマイクユニット側にその動作電源が供給される。この場合、出力端子に外部電源（プラグインパワー）が接続されていれば、電池に優先してその外部電源が第１のダイオードを介してマイクユニット側に供給されることになる。
【００１５】
この場合、上記電源スイッチを省略して、上記正側出力ラインに、その出力端子からの上記外部電源の入力方向を順方向として接続された第１のダイオードと、同第１のダイオードに対して並列的に接続されたコンデンサとを設けるとともに、上記第１のダイオードのカソード側と上記接地側出力ラインとの間に、上記内部電源としての電池、上記接地側出力ラインから上記正側出力ラインに至る方向を順方向とする第２のダイオードおよび負荷抵抗の直列回路を接続するようにしてもよい。
【００１６】
この構成はもっぱら業務用のマイクロホンに適用され、これによれば、電池もしくは外部電源のいずれかから常時マイクユニット側に電源が供給されることになる。この場合、電池をいれることによりマイクロホンがオンとなり、外部電源および電池をともに外すことによりマイクロホンがオフとなる。
【００１７】
また、上記電源スイッチは２接点切替え式のものでよく、その共通接点が上記正側出力ラインの上記マイクユニット側に接続され、同正側出力ラインの出力端子側と上記接地側出力ライン側にそれぞれ切替え接点が設けられる。これにより、電源オフ時には信号ラインが接地に落とされるため、機器側のボリュームを上げた場合でも雑音が発生しない。
【００１８】
なお、内部電源と外部電源とでコンデンサに印加される電圧の極性が逆になると、ノイズが発生したり、故障を起こすおそれがあるため、これらのことを考慮して、上記コンデンサには無極性コンデンサが使用される。
【００１９】
【発明の実施の形態】
次に、本発明の技術的思想をよりよく理解するうえで、その好適な実施形態について説明する。なお、以下の説明においてマイクユニットとは例えば図４に示されているように、振動板および固定電極からなる音声ピックアップ部Ｐと、そのインピーダンス変換器としての例えばＦＥＴからなるＩＣを含んでいるものとする。
【００２０】
まず、図１の第１実施例について説明すると、この電源回路１０は図示しないマイクロホン本体内において、そのマイクユニット側から引き出されている正側出力ライン１１と接地側出力ライン１２との間に設けられており、その正側出力ライン１１および接地側出力ライン１２の外部機器（例えばテープレコーダ）に対する接続端子を出力端子１１ａ，１２ａとする。
【００２１】
この電源回路１０によると、正側出力ライン１１には、同正側出力ライン１１をオフとして接地側出力ライン１２に選択的に接続する電源スイッチ１３が設けられている。この場合、電源スイッチ１３は２接点切替え式のものが用いられ、その共通接点１３ａは正側出力ライン１１のマイクユニット側に設けられている。これに対して、一方の切替え接点１３ｂはその出力端子１１ａ側に、他方の切替え接点１３ｃは接地側出力ライン１２側にそれぞれ設けられている。
【００２２】
また、この電源スイッチ１３と正側出力ライン１１の出力端子１１ａとの間には、同出力端子１１ａからの外部電源の入力方向を順方向として接続された第１のダイオード１４が設けられているとともに、正側出力ライン１１には電源スイッチ１３および第１のダイオード１４をバイパスするようにそれらに対して並列的に接続されたコンデンサ１５が設けられている。この場合、コンデンサ１５は直流カット用であって無極性のものが用いられている。
【００２３】
さらに、電源スイッチ１３および第１のダイオード１４の接続点と接地側出力ライン１２との間には、接地側出力ライン１２に対して正の電圧を持つ内部電源としての電池１６、接地側出力ライン１２から正側出力ライン１１に至る方向を順方向とする第２のダイオード１７および負荷抵抗１８の直列回路が接続されている。
【００２４】
上記構成において、電源スイッチ１３をその切替え接点１３ｂ側に切り替えることにより、電源が投入され収音可能状態となる。すなわち、プラグインパワーでない場合には、電池１６より第２のダイオード１７および負荷抵抗１８を介してマイクユニット側にその動作電源が供給され、同マイクユニット側から出力される音声信号はコンデンサ１５を介して出力端子１１ａに現われ、図示しないテープレコーダなどの外部機器のマイクロホンアンプ側に送出される。
【００２５】
この場合、電池１６からの電流は、第１のダイオード１４によって正側出力ライン１１の出力端子１１ａ側への流れが阻止される。なお、このとき第１のダイオード１４が逆バイアス状態となり内部インピーダンスが上昇するが、同第１のダイオード１４に対してコンデンサ１５が並列に接続されているため、問題なく音声信号を取り出せることができる。
【００２６】
これに対して、プラグインパワー時にはその外部機器からの外部電源（例えば図３の外部電源参照）が出力端子１１ａから第１のダイオード１４を介してマイクユニット側に供給され、同マイクユニット側から出力される音声信号はコンデンサ１５を介して出力端子１１ａに現われることになる。
【００２７】
この場合、外部電源からの電池１６側への流れ込みは第２のダイオードによって阻止されるが、マイクユニットに対しては外部電源もしくは電池１６の電源電圧の高い方が優先される。一般的に、電池１６の電源電圧よりもプラグインパワーの電源電圧の方が高く設定されるため、電池の無用な消耗が防止される。
【００２８】
一方、電源スイッチ１３を切替え接点１３ｃ側に接続することにより、マイクロホンがオフとされる。すなわち、この電源回路１０自体がオフとされるため、プラグインパワー時においてもマイクロホンがオフとされるとともに、電池１６の消耗も防止される。
【００２９】
また、電源スイッチ１３の切替え接点１３ｃ側への切り替えにより、マイクユニットの正側出力ライン１１が接地側に接続されることになる。このことは、出力端子１１ａ，１２ａに接続された機器に対してその入力が交流的にショートされたことになり、したがってその機器のボリュームを上げたとしても、雑音が発生することはない。
【００３０】
次に、図２に示されている本発明の第２実施例について説明する。この第２実施例は上記第１実施例から電源スイッチ１３を取り除いたもので、同第２実施例によっても電池１６と外部機器からのプラグインパワーとが自動的に切替えられる。
【００３１】
この第２実施例はもっぱら業務用のマイクロホンに適用され、プラグインパワー以外のときには、電池１６を入れることによりマイクロホンがオン状態となり、その電池１６の取り出しによってマイクロホンがオフとされる。したがって、この第２実施例では電池１６の出し入れが電源スイッチの代わりとなる。
【００３２】
【発明の効果】
以上説明したように、本発明によれば次のような効果が奏される。すなわち、別ピースとしての電源モジュールを用いることなく、内部電池と外部電源（プラグインパワー）とを共用することができる。
【００３３】
そして、このように内部電池と外部電源とを共用するにしても、その電源切替えが自動的に行なわれるため、従来のようにユーザーにスイッチ切替えなどの操作上の負担をかけることがないとともに、電源切替えに伴なって収音とぎれが生ずることもない。この場合、電源切替えは外部電源優先で行なわれるため、電池の無用な消耗も防止できる。
【００３４】
また、マイクロホン本体に電源スイッチが設けられているため、手元でのスイッチ操作が可能であるとともに、電源オフ時には音声信号の出力ラインが接地されるため、このマイクロホンが接続される機器側においては、その入力が交流的にショートされた状態となるため、ボリュームを上げたとしても雑音が発生することもない。
【００３５】
さらには、電源スイッチにしても小型でかつ安価な２接点切替え式のものでよく、したがってマイクロホン自体のより一層の小型化と低コスト化を図ることができる。なお、場合によっては電源スイッチを省略しても、内部電池と外部電源との自動切替えを行なうことができる。
【図面の簡単な説明】
【図１】本発明の第１実施例を示した回路図。
【図２】本発明の第２実施例を示した回路図。
【図３】プラグインパワー方式に適用される外部電源を示した回路図。
【図４】コンデンサマイクロホンにおけるマイクユニットの２端子式、３端子式の概略的な回路図。
【図５】内部電源と外部電源の共用方式の第１従来例を示した説明図。
【図６】内部電源と外部電源の共用方式の第２従来例を示した回路図。
【符号の説明】
１０  電源回路
１１  正側出力ライン
１１ａ  正側出力ラインの出力端子
１２  負側出力ライン
１２ａ  負側出力ラインの出力端子
１３  電源スイッチ
１４  第１のダイオード
１５  コンデンサ
１６  電池（内部電源）
１７  第２のダイオード
１８  負荷抵抗
【図１】
0003701757.tif 000002
【図２】
0003701757.tif 000003
【図３】
0003701757.tif 000004
【図４】
0003701757.tif 000005
【図５】
0003701757.tif 000006
【図６】
0003701757.tif 000007